(57)【要約】  表示装置は、画像データが示す画像がワイヤフレーム画像であるか否かを判定するワイヤフレーム画像判定部（１０）と、画像データが示す画像がワイヤフレーム画像でない場合に、当該画像の高周波数成分を抑制するようにフィルタ特性を設定し、画像データが示す画像がワイヤフレーム画像である場合には、ワイヤフレーム画像でない場合よりもさらに高周波数成分を抑制するようにフィルタ特性を設定するフィルタ特性設定部（２０）と、設定されたフィルタ特性に基づいて、画像データが示す画像をフィルタ処理しつつ縮小してフィルタリング画像を生成するフィルタ処理部（３０）と、表示画像を生成し、フィルタリング画像を入力して表示画像上に配置する表示処理部（３００）と、表示画像を表示する表示部とを備える。
2017163281.tif 000002
【特許請求の範囲】
【請求項１】
画像データが示す画像が、細線で描画されたワイヤフレーム画像であるか否かを判定する画像判定部と、  前記画像データが示す画像が前記ワイヤフレーム画像でない場合に、当該画像の高周波数成分を抑制するようにフィルタ特性を設定し、前記画像データが示す画像が前記ワイヤフレーム画像である場合には、前記ワイヤフレーム画像でない場合よりもさらに高周波数成分を抑制するようにフィルタ特性を設定する第１のフィルタ特性設定部と、  前記第１のフィルタ特性設定部によって設定されたフィルタ特性に基づいて、前記画像データが示す画像をフィルタ処理しつつ縮小してフィルタリング画像を生成する第１のフィルタ処理部と、  表示画像を生成し、前記フィルタリング画像を入力して表示画像上に配置する表示処理部と、  前記表示画像を表示する表示部と、  を備える表示装置。
【請求項２】
前記第１のフィルタ特性設定部は、前記画像データが示す画像の解像度の情報と、前記表示部の表示ウインドウの解像度の情報とに基づく縮小率に基づいて、前記フィルタ特性を変更する、  請求項１に記載の表示装置。
【請求項３】
前記画像判定部は、前記画像データが示す画像の信号成分における高周波数成分の量が所定量以上であるときに、前記画像データが示す画像が前記ワイヤフレーム画像であると判定する、  請求項１に記載の表示装置。
【請求項４】
前記画像判定部は、前記画像データが示す画像における色の数が所定数以下であるときに、前記画像データが示す画像が前記ワイヤフレーム画像であると判定する、  請求項１に記載の表示装置。
【請求項５】
前記画像判定部は、前記画像データを作成したアプリケーションを示す情報に基づいて、前記画像データが示す画像が前記ワイヤフレーム画像であるか否かを判定する、  請求項１に記載の表示装置。
【請求項６】
前記画像判定部は、予め設定されたワイヤフレーム画像を示す情報に基づいて、前記画像データが示す画像が前記ワイヤフレーム画像であるか否かを判定する、  請求項１に記載の表示装置。
【請求項７】
前記画像データを格納するデータ格納部を備える、  請求項１に記載の表示装置。
【請求項８】
前記データ格納部は、フィルタ処理され、かつ、所定の縮小率で縮小された縮小画像データを格納しており、  前記表示装置は、前記画像データが示す画像の解像度の情報と、前記表示部の表示ウインドウの解像度の情報とに基づく縮小率に基づいて、前記データ格納部に格納された前記画像データ及び前記縮小画像データのいずれかを選択する画像選択部を更に備え、  前記第１のフィルタ処理部は、前記画像選択部で選択された画像データが示す画像をフィルタ処理してフィルタリング画像を生成する、  請求項７に記載の表示装置。
【請求項９】
前記画像データが示す画像をフィルタ処理すると共に所定の縮小率で縮小して前記縮小画像データを生成する第２のフィルタ処理部を備える、  請求項８に記載の表示装置。
【請求項１０】
前記第１のフィルタ特性設定部は、前記画像選択部で選択された画像データが示す画像の解像度の情報と、前記表示部の表示ウインドウの解像度の情報とに基づく縮小率に基づいて、前記フィルタ特性を変更する、  請求項８に記載の表示装置。
【請求項１１】
前記データ格納部に予め格納される縮小画像データの縮小率は、過去の表示ウインドウ上で設定された縮小率に基づき設定される、  請求項８に記載の表示装置。
【請求項１２】
前記第１のフィルタ処理部は、補間フィルタ処理を行う、  請求項１に記載の表示装置。
【発明の詳細な説明】
【技術分野】
【０００１】  本開示は、画像を縮小又は拡大して表示する表示装置に関する。
【背景技術】
【０００２】  特許文献１は、画像の解像度を変換する画像処理装置における解像度変換装置を開示する。この解像度変換装置は、文字及び自然画が混在する映像信号から文字か自然画かを判別する画像性質検出回路と、文字か自然画かの判別に基づいてキュービックコンボリューション方式により補間関数を発生する補間関数発生回路と、補間関数発生回路から出力された補間関数に基づき映像信号を縮小または拡大の解像度変換を行う解像度変換回路とを具備する。【０００３】  具体的には、テキスト文字は、背景に対して急峻な変化を伴って輝度及び色相が変化する場合が多く、高周波成分を伴うことが多い。そのため、テキスト文字と判断された場合には、補間特性を制御する定数ａを、補間カーブが急峻であり、補間特性としては鮮鋭感が増すような値−２に設定して補間関数を算出する。一方、自然画像の場合、一般に、自然の中で建築物や陸橋等の人為的に作成された人工物に対して暫増暫減の変化で、急峻な輝度変化や色相変化は少なく、高周波成分は少ない。そのため、自然画像と判断された場合には、定数ａを、補間カーブが穏やかになり、一般の自然画像に対した補間特性となるような値−０．５に設定して補間関数を算出する。これにより、各画像の性質に最適な特性を持った解像度変換処理を行うことができる。
【先行技術文献】
【特許文献】
【０００４】
【特許文献１】特開２００１−１８９８５０号公報
【発明の概要】
【発明が解決しようとする課題】
【０００５】  例えばＣＡＤツールを用いて細線で描画されたワイヤフレーム画像を縮小表示する場合、特許文献１に記載のテキスト文字の場合のように補間特性を制御する定数ａとして、補間カーブが急峻であり、補間特性として鮮鋭感が増すような値を設定すると、縮小表示画像にジャギーが発生することがある。【０００６】  本開示は、ワイヤフレーム画像を縮小表示する際に、ジャギーの発生を抑制する表示装置を提供する。
【課題を解決するための手段】
【０００７】  本開示における表示装置は、画像データが示す画像がワイヤフレーム画像であるか否かを判定する画像判定部と、画像データが示す画像がワイヤフレーム画像でない場合に、当該画像の高周波数成分を抑制するようにフィルタ特性を設定し、画像データが示す画像がワイヤフレーム画像である場合には、前記ワイヤフレーム画像でない場合よりもさらに高周波数成分を抑制するようにフィルタ特性を設定する第１のフィルタ特性設定部と、第１のフィルタ特性設定部によって設定されたフィルタ特性に基づいて、画像データが示す画像をフィルタ処理しつつ縮小処理をしてフィルタリング画像を生成する第１のフィルタ処理部と、表示画像を生成し、フィルタリング画像を入力して表示画像上に配置する表示処理部と、表示画像を表示する表示部とを備える。
【発明の効果】
【０００８】  本開示における表示装置は、ワイヤフレーム画像を縮小表示する際に、ジャギーの発生を抑制することができる。
【図面の簡単な説明】
【０００９】
【図１】（ａ）画像を縮小せずに表示するときの画像に含まれる信号成分の周波数特性を示す図、（ｂ）画像を縮小して表示するときの縮小画像に含まれる信号成分の周波数特性を示す図（縮小率小）、（ｃ）画像を縮小して表示するときの縮小画像に含まれる信号成分の周波数特性を示す図（縮小率大）
【図２】ワイヤフレーム画像を表示したときの表示の一例を示す図
【図３】実施の形態１にかかる表示装置の構成を示すブロック図
【図４】実施の形態１にかかる表示装置のフィルタ部の機能的構成を示すブロック図
【図５】（ａ）自然画像を縮小した縮小画像に含まれる信号成分とワイヤフレーム画像に含まれる信号成分との周波数特性を示す図、（ｂ）第１のフィルタ係数によるフィルタ特性と第２のフィルタ係数によるフィルタ特性とを示す図、（ｃ）本実施の形態のフィルタ処理を施した縮小画像に含まれる信号成分の周波数特性を示す図である。
【図６】フィルタ処理部の構成の一例を示すブロック図（実施の形態１）
【図７】（ａ）本実施の形態のフィルタ処理を施したワイヤフレーム画像の周波数特性を示す図、（ｂ）本実施の形態のフィルタ処理を施したワイヤフレーム画像の周波数特性を示す図
【図８】本実施の形態のフィルタ処理を施したワイヤフレーム画像を表示したときの表示の一例を示す図
【図９】実施の形態２にかかる表示装置のフィルタ部の機能的構成を示すブロック図
【図１０】元画像、縮小画像及び表示画像のサイズの関係を示す図
【図１１】フィルタ処理部の構成の一例を示すブロック図（実施の形態２）
【図１２】実施の形態３にかかる表示装置のフィルタ部の機能的構成を示すブロック図
【発明を実施するための形態】
【００１０】  以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】  なお、発明者（ら）は、当業者が本開示を十分に理解するために添付図面および以下の説明を提供するのであって、これらによって請求の範囲に記載の主題を限定することを意図するものではない。
【００１２】（本開示に至った経緯）  ８Ｋディスプレイ等の高解像度（高画素数）の表示装置は、写真や写真に近いコンピュータグラフィック等の自然画像、及び、ＣＡＤツールを用いて細線で描画されたワイヤフレーム画像等を表示する用途に適している。このような表示装置のための画像は、高解像度の表示を実現するために、元画像の画素数がそのまま表示装置上の画素数と一致するように、いわゆるピクセル等倍で表示するのが好ましい。このとき、元画像のサンプリング周波数は表示装置のサンプリング周波数と同一となる。また、画像に含まれる信号成分の最大周波数は、サンプリング周波数の１／２の周波数（ナイキスト周波数）以下とされる（サンプリング定理）。
【００１３】  ただし、このような表示装置は、必要に応じてウインドウサイズに合わせて画像を縮小して表示する場合がある。
【００１４】  図１（ａ）は、画像を縮小せずに表示するときの画像に含まれる信号成分の周波数特性を示す図であり、図１（ｂ）及び図１（ｃ）は、画像を縮小して表示するときの縮小画像に含まれる信号成分の周波数特性を示す図である。なお、図１（ｃ）には、図１（ｂ）よりも高い縮小率のときの特性が示されている。
【００１５】  画像を縮小しない場合、図１（ａ）に示されるように、画像のサンプリング周波数ｆｓと表示部のサンプリング周波数ｆｓｄは略一致し、画像に含まれる信号成分１５０の最大周波数は、画像のナイキスト周波数ｆｎ（ｆｓの１／２倍）及び表示部のナイキスト周波数ｆｎｄ（ｆｓｄの１／２倍）に設定される。一方、画像を縮小すると、図１（ｂ）に示されるように、縮小画像のサンプリング周波数ｆｓ１は表示部のサンプリング周波数ｆｓｄよりも大きくなり、縮小画像に含まれる信号成分１６０の最大周波数及びナイキスト周波数ｆｎ１（ｆｓ１の１／２倍）は表示部のナイキスト周波数ｆｎｄ（ｆｓｄの１／２倍）よりも大きくなる。この縮小画像をサンプリング周波数ｆｓｄの表示部に表示しようとすると、表示部のナイキスト周波数ｆｎｄよりも大きい周波数の信号成分（折り返して示す）１６１が折り返し雑音となる。
【００１６】  画像の縮小率をさらに高めると、図１（ｃ）に示されるように、縮小画像のサンプリング周波数ｆｓ２がさらに大きくなり、縮小画像に含まれる信号成分１７０の最大周波数及びナイキスト周波数ｆｎ２（ｆｓ２の１／２倍）がさらに大きくなる。そのため、表示部のナイキスト周波数ｆｎｄよりも大きい周波数の信号成分（折り返して示す）１７１、すなわち折り返し雑音が増加する。
【００１７】  特に、ワイヤフレーム画像は自然画像に比べて高い周波数成分を多く含むので、ワイヤフレーム画像を縮小すると、自然画像を縮小するときに比べて多くの折り返し雑音が発生する。
【００１８】  図２は、ワイヤフレーム画像を縮小して表示したときの表示の一例を示す図である。図２では、画像を横方向に３８４０画素から２０００画素に縮小表示している。ワイヤフレーム画像を縮小すると、多くの折り返し雑音が発生することによりジャギーが発生する（例えば、円形状の範囲１８０を参照）。さらにワイヤフレーム画像の縮小率が高くなると、モアレが発生することがある。
【００１９】  なお、自然画像は高周波数成分が比較的に少ないため、自然画像を縮小表示しても、発生する折り返し雑音は少なく、ジャギーが発生しないか、或いはジャギーが発生しても目立たない。
【００２０】  本開示は、ワイヤフレーム画像に対して自然画像よりも高周波数成分を多く抑制（低減）するようにフィルタ処理を行い、縮小表示画像におけるジャギーの発生を抑制する。以下、本開示の実施の形態について説明する。
【００２１】（実施の形態１）  以下、図３〜９を用いて、実施の形態１を説明する。
【００２２】［１−１．構成］  図３は、実施の形態１にかかる表示装置の構成を示すブロック図である。表示装置１は、１画面内に１つ又は複数のウインドウを表示し、各ウインドウの枠内に自然画像及びワイヤフレーム画像等の静止画像を表示する。このとき、表示装置１は、ウインドウの枠の大きさを変更することにより、ウインドウの枠及び静止画像を含む表示画像を縮小することができる。その際、静止画像は縮小されて、ウインドウの枠内に（すなわち、表示画像上に）配置される。なお、表示装置１は動画像を表示してもよい。表示装置１は、メモリ１００と、フィルタ部２００と、表示処理部３００と、表示部４００と、操作部５００とを備える。
【００２３】  メモリ１００は、記憶素子であり、ＳＳＤ、フラッシュメモリや強誘電体メモリなどで構成される。または、ＤＲＡＭなど揮発性の記憶素子で構成して、ＨＤＤなどの外部記録装置からデータを読み込むようにしてもよい。メモリ１００は、高解像度の表示部４００用の高解像度の画像データとこの画像データに関する付加情報とを記憶している。画像データは、表示部４００のサンプリング周波数と略同一のサンプリング周波数で生成された画像のデータである。付加情報は、画像解像度情報、画像作成アプリケーション（ソフト）情報、ユーザ設定情報等を含む。例えば、画像作成アプリケーション情報は、画像データが示す画像がワイヤフレーム画像である場合にはワイヤフレーム画像を作成したＣＡＤアプリケーションを示す情報であり、画像データが示す画像が自然画像である場合には自然画像に対応した編集アプリケーションを示す情報である。ユーザ設定情報は、ユーザがメモリ１００に画像データを記憶させるときに設定する情報であり、その画像データが示す画像がワイヤフレーム画像か否かを示す情報である。メモリ１００は、フィルタ部２００及び表示処理部３００のための各種プログラムを記憶している。また、メモリ１００は、下記表１に示すように、ワイヤフレーム画像の縮小率に対する適切なフィルタ係数を参照テーブルとして予め記憶している。【表１】
2017163281.tif 000003
【００２４】  フィルタ部２００は、ＧＰＵ、ＣＰＵ、ＭＰＵ等で構成され、メモリ１００に格納された各種プログラムを実行することにより、デジタルフィルタ回路として機能する。本実施の形態では、フィルタ部２００は、バイキュービック方式（キュービックコンボリューション方式）の補間フィルタ回路として機能し、メモリ１００に記憶された画像データが示す画像の高周波数成分を抑制してフィルタリング画像データを生成する。このとき、フィルタ部２００は、画像データが示す画像がワイヤフレーム画像であるか否かの判定を行い、画像データが示す画像がワイヤフレーム画像であるとき、自然画像のときよりも多くの高周波数成分を抑制する。フィルタ部２００は、ワイヤフレーム画像判定部、フィルタ特性設定部、フィルタ処理部として機能する。これらの機能の詳細は後述する。
【００２５】  表示処理部３００は、例えばＧＰＵ、ＭＰＵ等を含むグラフィックカードで構成され、メモリ１００に格納された各種プログラムを実行する。これにより、表示処理部３００は、操作部５００からのユーザが設定した表示画面構成に基づいてフィルタリング画像データの解像度を指定するウインドウ解像度情報をフィルタ部２００に出力するとともに、フィルタ部２００からのフィルタリング画像データにウインドウ枠を付加する等の処理を施して表示画像を生成し、この表示画像を表示部４００に表示させる。
【００２６】  なお、フィルタ部２００及び表示処理部３００の機能は、ハードウェアとソフトウェアの協同により実現したが、フィルタ部２００及び表示処理部３００を所定の機能を実現するように専用に設計されたハードウェア回路のみで実現してもよい。例えば、フィルタ部２００及び表示処理部３００は、ＧＰＵ、ＣＰＵ、ＭＰＵのみならず、ＤＳＰ、ＦＰＧＡ、ＡＳＩＣ等で構成することができる。
【００２７】  表示部４００は、液晶ディスプレイや有機ＥＬディスプレイ等の高解像度のディスプレイ装置である。表示部４００は、１画面内に１つ又は複数のウインドウを並べて表示し、各ウインドウに異なる画像を表示するようにして１画面内に複数の画像を表示する。表示部４００は、表示処理部３００からの表示画像をサンプリング周波数でサンプリングして各ウインドウに表示する。
【００２８】  操作部５００は、静電容量方式タッチパネルや操作ボタン等の操作装置である。操作部５００は、各種表示の設定や縮小率等を設定するために用いられる。
【００２９】［１−２．動作］
【００３０】  以上のように構成された表示装置１の動作を説明する。図４は、フィルタ部２００の機能的な構成を示すブロック図である。メモリ１００には、画像データとこの画像データに関する付加情報とが関連付けられた画像ファイル１１０が記憶されている。付加情報は、画像解像度情報、画像作成アプリケーション（ソフト）情報、ユーザ設定情報等を含む。
【００３１】  ワイヤフレーム画像判定部１０は、メモリ１００から読み出した画像データが示す画像に含まれる信号成分における高周波数成分の量に基づいて、この画像データが示す画像がワイヤフレーム画像であるか否かの判定を行う。具体的には、ワイヤフレーム画像判定部１０は、高周波数成分の量が所定量以上である場合に画像データが示す画像はワイヤフレーム画像であると判定し、高周波数成分の量が所定量未満である場合に画像データが示す画像はワイヤフレーム画像でなく自然画像であると判定する。ワイヤフレーム画像判定部１０は、判定結果をワイヤフレーム判定情報として出力する。なお、本実施の形態では、ナイキスト周波数の０．５倍の周波数からナイキスト周波数までの周波数の成分を高周波数成分とする。
【００３２】  ワイヤフレーム画像判定部１０は、ハイパスフィルタ部１１とレベル検出部１２とを備えている。ハイパスフィルタ部１１は、画像データが示す画像に含まれる信号成分における高周波数成分を通過させ、低周波数成分を通過させないフィルタである。レベル検出部１２は、ハイパスフィルタ部１１を通過した高周波数成分を含む信号の振幅を検出し、検出した振幅が所定値以上であるときにこの画像データが示す画像はワイヤフレーム画像であると判定する。なお、高周波数成分の量が多い場合、高周波数成分の振幅も大きいことから、本実施の形態では、高周波数成分の振幅を検出することにより、高周波数成分の量を検出している。
【００３３】  フィルタ特性設定部（第１のフィルタ特性設定部）２０は、ワイヤフレーム画像判定部１０からのワイヤフレーム判定情報に基づいてフィルタ係数を設定することで、フィルタ処理部３０のフィルタ特性を設定する。具体的には、フィルタ特性設定部２０は、ワイヤフレーム判定情報がワイヤフレーム画像を示さないとき（画像データが示す画像が自然画像であるとき）、高周波数成分を比較的に抑制しないフィルタ特性となるようにフィルタ係数ａとして第１のフィルタ係数を設定する。一方、ワイヤフレーム判定情報がワイヤフレーム画像を示すとき、フィルタ特性設定部２０は、第１のフィルタ係数よりも高周波数成分を抑制するようにフィルタ係数ａとして第２のフィルタ係数を設定する。
【００３４】  図５（ａ）は、自然画像を縮小した縮小画像に含まれる信号成分１４０の周波数特性とワイヤフレーム画像を縮小した縮小画像に含まれる信号成分１６０の周波数特性とを示す図である。図５（ｂ）は、第１のフィルタ係数によるフィルタ特性１４８と第２のフィルタ係数によるフィルタ特性１６８とを示す図である。
【００３５】  図５（ａ）に示されるように、自然画像では高周波数成分が比較的に少ないため、自然画像を縮小しても、縮小画像に含まれる信号成分１４０における表示部のナイキスト周波数ｆｎｄよりも大きい周波数の信号成分、すなわち折り返し雑音が比較的に少ない。一方、ワイヤフレーム画像は自然画像と比較して高周波数成分を多く含むため、ワイヤフレーム画像を縮小すると、縮小画像に含まれる信号成分１６０における表示部のナイキスト周波数ｆｎｄよりも大きい周波数の信号成分、すなわち折り返し雑音が多い。
【００３６】  そこで、フィルタ特性設定部２０は、画像データが示す画像が自然画像であるとき、図５（ｂ）に示されるように高周波数成分を比較的に抑制しないフィルタ特性１４８となるようにフィルタ係数ａとして第１のフィルタ係数を設定する。一方、画像データが示す画像がワイヤフレーム画像であるとき、フィルタ特性設定部２０は、第１のフィルタ係数よりも高周波数成分を抑制するフィルタ特性１６８となるようにフィルタ係数ａとして第２のフィルタ係数を設定する。
【００３７】  図５（ｃ）は、本実施の形態のフィルタ処理を施した縮小画像に含まれる信号成分の周波数特性を示す図である。図５（ｃ）は、フィルタ処理を施した自然画像の縮小画像に含まれる信号成分１４５と、フィルタ処理を施したワイヤフレーム画像の縮小画像に含まれる信号成分１６５を示す。なお、図５（ｃ）には、フィルタ処理を施さないときの自然画像を縮小した縮小画像に含まれる信号成分の周波数特性１４０、及び、ワイヤフレーム画像を縮小した縮小画像に含まれる信号成分の周波数特性１６０（図５（ａ））も示している。
【００３８】  本実施の形態では、自然画像に対しては、第１のフィルタ係数によるフィルタ特性１４８（図５（ｂ））でフィルタ処理を行う。これにより、自然画像を縮小した縮小画像に含まれる信号成分１４０の高周波数成分が信号成分１４５に低減される。一方、ワイヤフレーム画像に対しては、第２のフィルタ係数によるフィルタ特性１６８（図５（ｂ））でフィルタ処理を行う。これにより、ワイヤフレーム画像を縮小した縮小画像に含まれる信号成分１６０の高周波数成分は信号成分１６５に低減される。このように、フィルタ特性設定部２０により、自然画像とワイヤフレーム画像とでフィルタ係数を異ならせることにより、フィルタ処理を施したワイヤフレーム画像の縮小画像に含まれる信号成分１６５における高周波数成分を、フィルタ処理を施した自然画像の縮小画像に含まれる信号成分１４５における高周波数成分と同等レベルまで低減することができる。
【００３９】  例えば、フィルタ特性設定部２０は、画像データが示す画像が自然画像であるときには、第１のフィルタ係数として、高周波数成分を比較的に抑制せず、補間カーブが急峻であり、補間特性として鮮鋭感（sharpness）が増すような値を設定する。一方、画像データが示す画像がワイヤフレーム画像であるときには、フィルタ特性設定部２０は、第２のフィルタ係数として、高周波数成分を比較的に多く抑制し、補間カーブが穏やかであり、補間特性として鮮鋭感を強調しない値を設定する。
【００４０】  また、フィルタ特性設定部２０は、メモリ１００に格納されたワイヤフレーム画像の縮小率に対する適切な第２のフィルタ係数の参照テーブル（表１）を参照して、画像データの画像解像度情報と表示部のウインドウ解像度情報（ウインドウサイズ）とに基づく縮小率に基づいて第２のフィルタ係数を変更する。
【００４１】  なお、メモリ１００は、自然画像の縮小率に対する適切な第１のフィルタ係数を参照テーブル（表１）として予め記憶しており、フィルタ特性設定部２０は、この参照テーブルを参照して、画像解像度情報と表示ウインドウ解像度情報とに基づく縮小率に基づいて第１のフィルタ係数を変更してもよい。
【００４２】  再び図４を参照し、フィルタ処理部（第１のフィルタ処理部）３０は、フィルタ特性設定部２０からのフィルタ係数（第１のフィルタ係数又は第２のフィルタ係数）に基づいて、画像データのフィルタ処理を行い、フィルタリング画像データを生成する。フィルタ処理部３０としては、例えばバイキュービック方式（４画素×４画素）の補間フィルタ回路が用いられる。
【００４３】  図６は、フィルタ処理部３０の構成の一例を示すブロック図である。フィルタ処理部３０は、１ライン遅延器３１ａ〜３１ｃと、係数乗算器３２ａ〜３２ｄと、加算器３３ａ〜３３ｃと、１画素遅延器３５ａ〜３５ｃと、係数乗算器３６ａ〜３６ｃと、加算器３７ａ〜３７ｃとを備えている。
【００４４】  １ライン遅延器３１ａ〜３１ｃと、係数乗算器３２ａ〜３２ｄと、加算器３３ａ〜３３ｃとは、垂直方向に並ぶ４本の画素ラインの画素値（輝度値又は色相値）を加算して１本の加算画素ラインとする。そして、１画素遅延器３５ａ〜３５ｃと、係数乗算器３６ａ〜３６ｃと、加算器３７ａ〜３７ｃとは、加算画素ライン内の水平方向に配列された４つの画素の画素値を加算して１つの加算画素とする。このとき、係数乗算器３２ａ〜３２ｄ及び係数乗算器３６ａ〜３６ｃそれぞれは、フィルタ係数ａに基づいて重み付けを行う。そして、加算画素の画素値を新たな補間画素の画素値とする。
【００４５】  具体的には、１ライン遅延器３１ａ〜３１ｃはそれぞれ、入力する画素データに１画素ライン分の遅延を与える。これにより、係数乗算器３２ａ〜３２ｄにはそれぞれ、異なる画素ラインの画素値が入力される。
【００４６】  係数乗算器３２ａ〜３２ｄはそれぞれ、フィルタ係数ａに基づいて、垂直方向の補間係数ｋ（ｄ）を数式１のように求める。（数１）    ｋ（ｄ）＝（ａ＋２）ｄ３−（ａ＋３）ｄ２＋１    ０≦ｄ＜１・・・（１−１）    ｋ（ｄ）＝ａｄ３−５ａｄ２＋８ａｄ−４ａ        １≦ｄ＜２・・・（１−２）    ｋ（ｄ）＝０                                  ２≦ｄ    ・・・（１−３）ここで、ｄは、１画素間の距離を１とした補間画素からの垂直方向の距離を表す。係数乗算器３２ａ〜３２ｄはそれぞれ、求めた補間係数ｋ（ｄ）を、入力する画素の画素値に乗算する。
【００４７】  加算器３３ａは、係数乗算器３２ａからの画素ラインの画素値と係数乗算器３２ｂからの画素ラインの画素値とを加算して２本の画素ラインを１本の画素ラインとする。加算器３３ｂは、係数乗算器３２ｃからの画素ラインの画素値と係数乗算器３２ｄからの画素ラインの画素値とを加算して２本の画素ラインを１本の画素ラインとする。加算器３３ｃは、加算器３３ａからの画素ラインの画素値と加算器３３ｂからの画素ラインの画素値とを加算して２本の画素ラインを１本の加算画素ラインとする。
【００４８】  次に、１画素遅延器３５ａ〜３５ｃはそれぞれ、入力する加算画素ラインの画素値に１画素分の遅延を与える。これにより、係数乗算器３６ａ〜３６ｃにはそれぞれ、異なる画素の画素値が入力される。
【００４９】  係数乗算器３６ａ〜３６ｄはそれぞれ、フィルタ係数ａに基づいて、垂直方向の補間係数ｋ（ｄ）を数式１のように求める。なお、数式１において、ｄを補間画素からの水平方向の距離に置き換える。係数乗算器３６ａ〜３６ｄはそれぞれ、求めた補間係数ｋ（ｄ）を、入力する画素の画素値に乗算する。
【００５０】  加算器３７ａは、係数乗算器３６ａからの画素の画素値と係数乗算器３６ｂからの画素の画素値とを加算して２つの画素を１つの画素とする。加算器３７ｂは、係数乗算器３６ｃからの画素の画素値と係数乗算器３６ｄからの画素の画素値とを加算して２つの画素を１つの画素とする。加算器３７ｃは、加算器３７ａからの画素の画素値と加算器３７ｂからの画素の画素値とを加算して２つの画素を１つの加算画素（補間画素）とする。
【００５１】  この補間処理を１画素ずつずらして繰り返すことにより、補間画素からなるフィルタリング画像データを生成する。このようにして生成されたフィルタリング画像データでは、補間画素の画素値の空間的な変化量が低減され（穏やかになり）、その結果高周波数成分が低減されることとなる。
【００５２】  このとき、フィルタ係数ａを、入力された画像データが示す画像が自然画像か、ワイヤフレーム画像かによって切り替えることで、高周波数成分の低減度合いを最適に制御する。例えば、図４のフィルタ特性設定部２０は、画像データが示す画像が自然画像であるときには、第１のフィルタ係数として、高周波数成分を比較的に抑制せず、補間カーブが急峻であり、補間特性として鮮鋭感（sharpness）が増すような値（例えば−２）を設定する。一方、画像データが示す画像がワイヤフレーム画像であるときには、フィルタ特性設定部２０は、第２のフィルタ係数として、高周波数成分を比較的に多く抑制し、補間カーブが穏やかであり、補間特性として鮮鋭感を強調しない値（例えば−０．５）を設定する。
【００５３】  その後、表示処理部３００は、操作部５００によって設定された画面構成に基づいて表示画像を生成し、フィルタ部２００からのフィルタリング画像データを表示画像に配置して、表示画像を表示部４００に表示させる。
【００５４】  次に、さらに縮小率が高く設定された場合の例を示す。図７（ａ）及び図７（ｂ）は、本実施の形態のフィルタ処理を施したワイヤフレーム画像の周波数特性を示す図である。なお、図７（ａ）は図１（ｂ）に対応した周波数特性を示す図であり、図７（ｂ）は図１（ｃ）に対応した周波数特性を示す図である。すなわち、図７（ｂ）には図７（ａ）よりも高い縮小率のときの特性が示されている。
【００５５】  図７（ａ）は、本実施の形態のフィルタ処理を施したワイヤフレーム画像に含まれる信号成分１６５と、この信号成分において表示部のナイキスト周波数ｆｎｄよりも大きい周波数の信号成分（折り返して示す）１６６を示す。なお、図７（ａ）には、フィルタ処理を施さないときのワイヤフレーム画像に含まれる信号成分１６０、及び、縮小前の画像に含まれる信号成分１５０（図１（ｂ））も破線（特徴の明確化のために図１（ｂ）と線種を異ならせて破線とする）で示している。本実施の形態のフィルタ処理を施して高周波数成分を抑制することにより、図７（ａ）に示されるように、ワイヤフレーム画像に含まれる信号成分１６０の高周波数成分が信号成分１６５の高周波数成分まで低減される。特に、表示部のナイキスト周波数ｆｎｄよりも大きい周波数の信号成分（折り返して示す）１６６、すなわち折り返し雑音を低減することができる。
【００５６】  図７（ｂ）は、本実施の形態のフィルタ処理を施したワイヤフレーム画像に含まれる信号成分１７５と、この信号成分において表示部のナイキスト周波数ｆｎｄよりも大きい周波数の信号成分（折り返して示す）１７６を示す。なお、図７（ｂ）には、フィルタ処理を施さないときのワイヤフレーム画像に含まれる信号成分１７０、及び、縮小前の画像に含まれる信号成分１５０（図１（ｃ））も破線（特徴の明確化のために図１（ｃ）と線種を異ならせて破線とする）で示している。本実施の形態のフィルタ処理では縮小率に応じてフィルタ係数を変更するため、画像の縮小率が高い場合には、高周波数成分をより多く抑制する。このため、縮小率が高い場合、図７（ｂ）に示されるように、高周波数領域において、ワイヤフレーム画像の縮小画像に含まれる信号成分１７０が信号成分１７５まで低減されるとともに、図７（ａ）に示される画像の縮小率が低いときの信号成分１６５と同等レベルまで低減される。特に、表示部のナイキスト周波数ｆｎｄよりも大きい周波数の信号成分（折り返して示す）１７６、すなわち折り返し雑音を図７（ａ）に示される画像の縮小率が低いときの信号成分１６６と同等レベルまで低減することができる。
【００５７】  図８は、本実施の形態のフィルタ処理を施したワイヤフレーム画像を表示したときの表示の一例を示す図である。図８では、図２同様に、画像を横方向に３８４０画素から２０００画素に縮小表示している。本実施の形態では、フィルタ処理を施して高周波数成分を抑制するため、ワイヤフレーム画像を縮小して表示しても、図２の場合と比較して折り返し雑音が低減され、ジャギーの発生を抑制できている（例えば、円形状の範囲１８０を参照）。
【００５８】［１−３．効果等］  以上のように、本実施の形態において、表示装置１は、ワイヤフレーム画像判定部１０と、フィルタ特性設定部２０と、フィルタ処理部３０と、表示処理部３００と、表示部４００とを備える。ワイヤフレーム画像判定部１０は、画像データが示す画像がワイヤフレーム画像であるか否かを判定する。フィルタ特性設定部２０は、画像データが示す画像がワイヤフレーム画像でない場合に、当該画像の高周波数成分を抑制するようにフィルタ特性を設定し、画像データが示す画像がワイヤフレーム画像である場合には、ワイヤフレーム画像でない場合よりもさらに高周波数成分を抑制するようにフィルタ特性を設定する。フィルタ処理部３０は、フィルタ特性設定部２０によって設定されたフィルタ特性に基づいて、画像データが示す画像をフィルタ処理しつつ縮小処理をしてフィルタリング画像を生成する。表示処理部３００は、表示画像を生成し、フィルタリング画像を入力して表示画像上に配置する。表示部４００は表示画像を表示する。
【００５９】  これにより、ワイヤフレーム画像の場合、高周波数成分を十分に抑制するフィルタ処理を行うことで、縮小表示しても、折り返し雑音を低減でき、ジャギーの発生を抑制することができる。一方、自然画像の場合、高周波数成分を比較的に抑制しないフィルタ処理を行うことで、縮小表示しても、高解像度感を得ることができる。その結果、各画像において良好な表示画質を得ることができる。
【００６０】（実施の形態２）  実施の形態１では、高い縮小率における多くの高周波数成分の抑制にも対応できるように、フィルタ処理部３０として、４画素×４画素のバイキュービック方式を採用した。そのため、実施の形態１では、フィルタ処理部３０の処理時間が比較的に長かった。実施の形態２では、フィルタ処理部３０の処理時間を短縮する。
【００６１】  具体的には、実施の形態２では、予め元画像の高周波数成分を抑制するとともに所定の縮小率で縮小した縮小画像を生成し、メモリ１００に格納しておく。これにより、フィルタ処理部３０は、予め生成した縮小画像から、この縮小画像の所定の縮小率と実際の表示画像の縮小率との差分に基づく量だけ高周波数成分を抑制すればよく、フィルタ処理部３０での高周波数成分の抑制量を低減できる。そのため、フィルタ処理部３０として２画素×２画素の簡易なフィルタを採用することができ、フィルタ処理部３０の処理時間を短縮することができる。以下、実施の形態２の表示装置を詳細に説明する。
【００６２】  実施の形態２の表示装置の構成は、図３を参照して説明した実施の形態１のものと基本的に同様であるが、フィルタ部２００の機能、動作が前述のものと異なる。
【００６３】  図９を用いて、実施の形態２におけるフィルタ部２００の具体的な構成、動作を説明する。図９は、実施の形態２におけるフィルタ部２００の機能的な構成を示した図である。フィルタ部２００はさらに、前段フィルタ処理部（第２のフィルタ処理部）４０と画像選択部５０の機能を備える。メモリ１００は、予め生成する縮小画像の所定の縮小率と、その縮小率に基づく量の高周波数成分を抑制するための所定のフィルタ係数とを前段フィルタ処理のフィルタ係数・縮小率情報として、参照テーブルの形式で格納している。
【００６４】  前段フィルタ処理部４０には、実施の形態１のフィルタ処理部３０に採用した４画素×４画素のバイキュービック方式の補間フィルタ回路が用いられる。前段フィルタ処理部４０は、ワイヤフレーム画像判定部１０からのワイヤフレーム判定情報がワイヤフレーム画像を示すとき、上述したフィルタ処理部３０と同様のフィルタ処理を行う。このとき、前段フィルタ処理部４０は、メモリ１００からの前段フィルタ処理のフィルタ係数・縮小率情報が示す所定のフィルタ係数に基づいて、元画像データが示す元画像に含まれる信号成分における高周波数成分を抑制するとともに、前段フィルタ処理のフィルタ係数・縮小率情報が示す所定の縮小率に基づいて元画像を縮小して、縮小画像データを生成する。前段フィルタ処理部４０は、複数の異なる所定の縮小率の縮小画像データを生成する。これらの縮小画像データそれぞれは、付加情報（縮小画像解像度情報及びワイヤフレーム判定情報）と関連付けされて縮小画像ファイル１２１、１２２、１２３としてメモリ１００に格納される。すなわち、メモリ１００は、ワイヤフレーム画像についてフィルタ処理され、かつ、所定の縮小率で縮小された縮小画像データを格納している。
【００６５】  なお、上述したように自然画像の場合には高周波数成分を比較的に抑制する必要がないので、前段フィルタ処理部４０は、ワイヤフレーム画像判定部１０からのワイヤフレーム判定情報がワイヤフレーム画像を示さないとき（画像データが示す画像が自然画像であるとき）、縮小画像の生成を行わない。
【００６６】  画像選択部５０は、元画像の解像度情報と表示ウインドウ解像度情報とに基づく縮小率に基づいて、この縮小率に最も近く、この縮小率以下の縮小画像データ及びその付加情報を選択する。以下、図１０を用いて、画像選択部５０による縮小画像データ及びその付加情報の選択の具体例について説明する。
【００６７】  この具体例では、メモリ１００に、元画像ファイル１１０に加えて、３種類の縮小率でそれぞれ縮小された縮小画像ファイル１２１、１２２、１２３が予め格納されており、かつ、表示処理部３００において表示ウインドウの縮小率が設定された場合を想定する。図１０は、元画像、縮小画像及び表示画像のサイズの関係を示す図である。図１０において、画像サイズ１１０ｓは、元画像ファイル１１０の元画像データが示す元画像のサイズである。画像サイズ１２１ｓ、１２２ｓ、１２３ｓはそれぞれ、縮小画像ファイル１２１、１２２、１２３の縮小画像データが示す縮小画像のサイズである。画像サイズ１３０ｓは表示部において設定された縮小率に基づく表示画像のサイズである。このような状態において、画像選択部５０は、この画像サイズ１３０ｓよりも大きく、表示画像の画像サイズ１３０ｓに最も近い画像サイズ１２２ｓの縮小画像データを選択する。
【００６８】  そして、画像サイズ１２２ｓの縮小画像を縮小して画像サイズ１３０ｓの表示画像が生成される。この場合、画像サイズ１１０ｓの元画像から画像サイズ１３０ｓの表示画像を生成する場合と比較して、縮小率が低くなる。そのため、フィルタ処理部３０は、画像サイズ１２２ｓの縮小画像の縮小率と表示画像の縮小率との差分に基づく量だけ高周波数成分を抑制すればよく、フィルタ処理部３０での高周波数成分の抑制量を低減できる。すなわち、事前に縮小画像を準備しておき、縮小処理時にその縮小画像を用いることで、縮小処理時における縮小率を小さくできるため、縮小処理の負荷を軽減できる。
【００６９】  フィルタ特性設定部２０は、選択された選択画像データが示す選択画像のワイヤフレーム判定情報に基づいて、上述したようにフィルタ係数を第１のフィルタ係数又は第２のフィルタ係数に設定する。このとき、フィルタ特性設定部２０は、選択画像の解像度情報と、表示処理部３００からの表示ウインドウの解像度情報とに基づいて、フィルタ係数を変更する。
【００７０】  フィルタ処理部３０は、フィルタ特性設定部２０からのフィルタ係数（第１のフィルタ係数又は第２のフィルタ係数）に基づいて、選択画像データのフィルタ処理を行い、フィルタリング画像データを生成する。本実施の形態では、フィルタ処理部３０での高周波数成分の抑制量が低減されたため、フィルタ処理部３０としては、例えば２画素×２画素のフィルタとしてバイキュービック方式を簡略化した補間フィルタ回路が用いられる。
【００７１】  図１１は、実施の形態２のフィルタ処理部３０の構成の一例を示すブロック図である。フィルタ処理部３０は、１ライン遅延器３１ａと、係数乗算器３２ａ、３２ｂと、加算器３３ａと、１画素遅延器３５ａと、係数乗算器３６ａ、３６ｂと、加算器３７ａとを備えている。この２画素×２画素の簡略化したバイキュービック方式の補間フィルタ回路の動作については、上述した４画素×４画素のバイキュービック方式の補間フィルタ回路の動作説明を参照されたい。なお、このとき係数乗算器３２ａ〜３２ｂはそれぞれ、フィルタ係数ａに基づいて、垂直方向の補間係数ｋ（ｄ）を数式２のように求める。（数２）    ｋ（ｄ）＝（ａ＋２）ｄ３−（ａ＋３）ｄ２＋１    ０≦ｄ＜１・・・（２−１）    ｋ（ｄ）＝０                                  １≦ｄ    ・・・（２−２）
【００７２】  このように、２画素×２画素の簡略化したバイキュービック方式では、４画素×４画素のバイキュービック方式と比較して、１ライン遅延器３１ｂ、３１ｃ及び加算器３３ｃの処理時間を削減することができ、さらには係数乗算器３２ａ、３２ｂにおけるフィルタ係数ａから補間関数ｋ（ｄ）を算出する式が数式２よりも簡易とすることができる。そのため、処理時間を短縮することができる。
【００７３】  このように、実施の形態２によれば、前段フィルタ処理部４０で、予め元画像の高周波数成分を抑制するとともに所定の縮小率で縮小した縮小画像を生成しておく。これにより、フィルタ処理部３０は、予め生成された縮小画像から、この縮小画像の所定の縮小率と実際の表示画像の縮小率との差分に基づく量だけ高周波数成分を抑制すればよく、フィルタ処理部３０での高周波数成分の抑制量を低減できる。そのため、フィルタ処理部３０として２画素×２画素の簡略化したバイキュービック方式を採用することができ、フィルタ処理部３０の処理時間（リアルタイム処理の時間）を短縮することができる。
【００７４】  実施の形態２において、前段フィルタ処理部４０は、縮小処理を行わず、高周波数成分の抑制のみを行ってもよい。なお、縮小処理を行うことにより、メモリ１００に格納する画像データサイズを小さくでき、メモリ１００の使用領域を低減することができる。また、前段フィルタ処理部４０の処理は、元画像ファイル１１０がメモリ１００に記憶されたのち、表示処理負荷の少ない空き時間に実行するようにしてもよい。
【００７５】（実施の形態３）  実施の形態３では、よく設定される表示ウインドウサイズに基づいて縮小画像を予め生成する。具体的には、過去に設定された表示ウインドウサイズを記憶して統計解析を行い、所定回数以上設定された表示ウインドウサイズに対応する縮小画像を予め生成して記憶しておく。これにより、予め記憶する縮小画像を絞り込み、記憶する縮小画像の数を少なくすることができ、メモリの使用領域を低減することができる。
【００７６】  実施の形態３の表示装置の構成は、図３を参照して説明した実施の形態１のものと基本的に同様であるが、フィルタ部２００の機能、動作が前述のものと異なる。
【００７７】  図１２を用いて、実施の形態３におけるフィルタ部２００の具体的な動作を説明する。図１２は、実施の形態３におけるフィルタ部２００の機能的な構成を示した図である。フィルタ部２００は、図９に示す実施の形態２の構成においてさらに統計処理部６０と前段フィルタ特性設定部（第２のフィルタ特性設定部）２５の機能を有する。
【００７８】  統計処理部６０は、表示処理部３００からのウインドウ解像度情報に基づいて、過去に設定された表示ウインドウサイズを記憶して統計解析を行う。統計処理部６０は、所定回数以上設定された表示ウインドウサイズに対応するウインドウ解像度情報を頻出ウインドウ解像度情報として出力する。
【００７９】  前段フィルタ特性設定部２５は、ワイヤフレーム画像判定部１０からのワイヤフレーム判定情報がワイヤフレーム画像を示すとき、元画像データが示す画像の高周波数成分を抑制するとともに画像を縮小するように前段フィルタ処理のフィルタ係数（第３のフィルタ係数）を設定する。前段フィルタ特性設定部２５は、前段フィルタ処理のフィルタ係数を、元画像データの画像解像度情報と頻出ウインドウ解像度情報とに基づく縮小率に基づいて変更する。
【００８０】  前段フィルタ処理部４０は、前段フィルタ特性設定部２５からの前段フィルタ処理のフィルタ係数に基づいて、元画像データが示す元画像の高周波数成分を抑制するとともに、元画像データの画像解像度情報と頻出ウインドウ解像度情報とに基づく縮小率に基づいて元画像を縮小して、縮小画像データを生成する。前段フィルタ処理部４０は、元画像データの画像解像度情報と頻出ウインドウ解像度情報とに基づく縮小率、及び、この縮小率に対応した前段フィルタ処理のフィルタ係数に基づいて、複数の異なる縮小率の縮小画像データを生成する。これらの縮小画像データそれぞれは、付加情報（縮小画像解像度情報及びワイヤフレーム判定情報）と関連付けされて縮小画像ファイル１２１、１２２としてメモリ１００に格納される。すなわち、メモリ１００に予め格納される縮小画像データの縮小率は、過去の表示ウインドウ上で設定された縮小率に基づき設定される。
【００８１】  このように、実施の形態３によれば、過去によく設定された頻出ウインドウサイズに対応する縮小画像を予め生成して記憶しておく。これにより、予め記憶する縮小画像を絞り込み、記憶する縮小画像の数を少なくすることができ、メモリ１００の使用領域を低減することができる。
【００８２】  なお、表示画像のサイズと一致するサイズの縮小画像が予め生成されている場合、フィルタ処理部３０は、フィルタ処理を行わないようにしてもよい。例えば、フィルタ処理部３０は、補間処理を行わず、入力される画像のうちのいずれか１つの画像の画素値をそのまま出力するようにすればよい。具体的には、図６において、係数乗算器３２ａ〜３２ｄにおける１つの係数乗算器だけが補間係数ｋ（ｄ）＝１を設定し、それ以外の係数乗算器は補間係数ｋ（ｄ）＝０を設定すればよい。かつ、係数乗算器３６ａ〜３６ｃにおける１つの係数乗算器だけが補間係数ｋ（ｄ）＝１を設定し、それ以外の係数乗算器は補間係数ｋ（ｄ）＝０を設定すればよい。
【００８３】（他の実施の形態）  以上のように、本出願において開示する技術の例示として、実施の形態１〜３を説明した。しかしながら、本開示における技術は、これに限定されず、適宜、変更、置換、付加、省略などを行った実施の形態にも適用可能である。また、上記実施の形態１〜３で説明した各構成要素を組み合わせて、新たな実施の形態とすることも可能である。そこで、以下、他の実施の形態を例示する。
【００８４】（１）本実施の形態では、ワイヤフレーム画像判定部１０は、画像データが示す画像に含まれる信号成分における高周波数成分の量に基づいて、画像データが示す画像がワイヤフレーム画像か否かの判定を行ったが、これに限定されない。ＣＡＤツールを用いて細線で描画されたワイヤフレーム画像において使用される色の数は少ないことから、ワイヤフレーム画像判定部１０は、画像データが示す画像の色の数に基づいて、画像データが示す画像がワイヤフレーム画像か否かの判定を行ってもよい。また、ワイヤフレーム画像判定部１０は、画像データに関連付けされた付加情報における、画像データを作成したアプリケーション情報（ＣＡＤ、ビューワ）、或いはユーザ設定情報等に基づいて、画像データが示す画像がワイヤフレーム画像か否かの判定を行ってもよい。
【００８５】（２）実施の形態１のフィルタ処理部３０、実施の形態２、３の前段フィルタ処理部４０として、４画素×４画素のバイキュービック方式の補間フィルタ回路を例示したが、これに限定されず、高い縮小率における多くの高周波数成分の抑制にも対応できる種々のフィルタが適用可能である。
【００８６】（３）実施の形態２、３のフィルタ処理部３０として、２画素×２画素の簡略化したバイキュービック方式の補間フィルタ回路を例示したが、これに限定されず、例えばニアレストネイバー方式等の簡易な種々のフィルタが適用可能である。
【００８７】（４）実施の形態２、３では、画像選択部５０は、表示画像の縮小率以下の縮小画像データを選択したが、表示画像の縮小率よりも高い縮小率の縮小画像データ（図１０において画像サイズ１２３ｓの縮小画像データ）を選択してもよい。この場合、表示処理部３００では画像拡大処理が行われる。また、この場合、フィルタ処理部３０は高周波数成分の抑制を行わなくてもよい。
【００８８】  以上のように、本開示における技術の例示として、実施の形態を説明した。そのために、添付図面および詳細な説明を提供した。
【００８９】  したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９０】  また、上述の実施の形態は、本開示における技術を例示するためのものであるから、請求の範囲またはその均等の範囲において種々の変更、置換、付加、省略などを行うことができる。
【産業上の利用可能性】
【００９１】  本開示は、画像を縮小又は拡大して表示する表示装置に適用可能である。
【図１】
2017163281.tif 000004
【図２】
2017163281.tif 000005
【図３】
2017163281.tif 000006
【図４】
2017163281.tif 000007
【図５】
2017163281.tif 000008
【図６】
2017163281.tif 000009
【図７】
2017163281.tif 000010
【図８】
2017163281.tif 000011
【図９】
2017163281.tif 000012
【図１０】
2017163281.tif 000013
【図１１】
2017163281.tif 000014
【図１２】
2017163281.tif 000015
【国際調査報告】
2017163281.tif 000016
2017163281.tif 000017
2017163281.tif 000018
2017163281.tif 000019